(57)【要約】【課題】  摺動部の異常事態の発生を早期に知ることができるフィルタープレスにおけるろ板開閉異常検出装置並びに制御方法を提供する。【解決手段】  ろ布走行型フィルタープレスにおいて、スライドシャフト９の一端に配設して、スライドシャフト９に作用するスラスト荷重Ｆを検出する検出装置１１と、スラスト荷重Ｆに基づいてろ板５の開閉移動を制御する制御装置３９とを備えるので、ろ板５の開閉異常時にろ板５の移動を停止させ、摺動部に関連する機器の損傷を未然に防止でき、部品破損や分解修理、さらには長期間に亘る運転停止のリスクを軽減できる。【選択図】      図４
2011251230.tif 000002
【特許請求の範囲】
【請求項１】
開閉自在に並列した複数のろ板（５…）列の上方にスライドシャフト（９）を設け、ろ板（５）上部に配設したベベルギアスライド（１０）をスライドシャフト（９）に軸線方向にのみ移動自在に嵌入し、各ろ板（５）間に設けたろ布（７）をベベルギアスライド（１０）に連動連結し、スライドシャフト（９）を回転させることによってろ布（７）を上下に走行するようにしたろ布走行型フィルタープレスにおいて、
スライドシャフト（９）の一端に、ろ板（５…）列の開閉移動時にスライドシャフト（９）に作用するスラスト荷重（Ｆ）を検出する検出装置（１１）と、スラスト荷重（Ｆ）に基づいてろ板（５）の開閉移動を制御する制御装置（３９）とを備えることを特徴とするフィルタープレスにおけるろ板開閉異常検出装置。
【請求項２】
上記スライドシャフト（９）の一端をフィルタープレス（１）のフロントフレーム（２）に立設したブラケット（１５）に軸支し、このブラケット（１５）に検出器（１７）を配設したことを特徴とする請求項１に記載のフィルタープレスにおけるろ板開閉異常検出装置。
【請求項３】
上記検出器（１７）が荷重変換器（１７）であり、荷重変換器（１７）の検出部（１７ａ）をブラケット（１５）に配設すると共に、フロントフレーム（２）にサポート（１８）を立設し、サポート（１８）に荷重変換器（１７）の本体（１７ｂ）を配設したことを特徴とする請求項２に記載のフィルタープレスにおけるろ板開閉異常検出装置。
【請求項４】
上記スライドシャフト（９）を軸方向に分割し、分割面に検出器（１７）を挿入連結したことを特徴とする請求項１に記載のフィルタープレスにおけるろ板開閉異常検出装置。
【請求項５】
開閉自在に並列した複数のろ板（５…）列の上方にスライドシャフト（９）を設け、ろ板（５）上部に配設したベベルギアスライド（１０）をスライドシャフト（９）に軸線方向にのみ移動自在に嵌入し、各ろ板（５）間に設けたろ布（７）をベベルギアスライド（１０）に連動連結すると共に、スライドシャフト（９）の一端に、ろ板（５…）列の開閉移動時にスライドシャフト（９）に作用するスラスト荷重（Ｆ）を検出する検出装置（１１）と、スラスト荷重（Ｆ）に基づいてろ板（５）の開閉移動を制御する制御装置（３９）とを備えたろ布走行型フィルタープレスにおいて、
検出装置（１１）により検出したスライドシャフト（９）に作用するスラスト荷重（Ｆ）と、予め設定した基準値（ＣＦ，ＯＦ）とを比較し、スラスト荷重（Ｆ）の値が基準値（ＣＦ，ＯＦ）を超えた時に、ろ板（５）の開閉移動を停止させることを特徴とするフィルタープレスにおけるろ板開閉異常検出装置の制御方法。
【発明の詳細な説明】
【技術分野】
【０００１】
この発明は、ろ板間に吊設したろ布を走行させてケーキを剥離するフィルタープレスの改良に関し、詳しくは、ろ板の走行異常を検知するためのろ板開閉異常検出装置並びに制御方法に関する。
【背景技術】
【０００２】
従来、各ろ板間にそれぞれ設けたろ布を昇降駆動するのに、ろ板列に沿って設けた駆動軸に嵌着した駆動輪で駆動するようにしたフィルタープレスにおいて、駆動軸に嵌入する駆動輪に自己潤滑性を有するプラスチック製の分割構成型のスリーブを嵌着した装置が特許文献１に開示されている。
【０００３】
また、ろ板を閉板して原液を供給・圧搾し、脱水後に並列したろ板を開板し、ろ布を下降させてケーキを剥離するフィルタープレスにおいて、吊持するろ布の荷重をろ板で受け、ろ板の開閉とともに軸方向に移動するろ布昇降装置（プーリ）と駆動軸との摺動部材を、摩擦係数の小さな材料で形成した装置が特許文献２に開示されている。
【０００４】
さらに、送り手段により移動される複数のろ板と、ろ板とともに送り移動されるろ布を有するフィルタープレスにおいて、ろ板の送り移動を確認するために、ろ布が吊下されるろ布吊り棒の一端側の通過を検知可能な検知手段と、他端側の通過を検知可能な検知手段とを備えた装置が特許文献３に開示されている。
【先行技術文献】
【特許文献】
【０００５】
【特許文献１】実開平６−３４０７号公報
【特許文献２】特開平２−２５１２０９号公報
【特許文献３】特開平７−３１８０９号公報
【発明の概要】
【発明が解決しようとする課題】
【０００６】
ろ布走行式のフィルタープレスにおいて、開閉板するろ板及びろ布の重量は、ろ板の各両側部に設けた一対の把手を介してガイドレールに掛かるが、把手はガイドレール上に載置した状態で他の部位を拘束していないため、摺動部に異物が付着してもろ板が上方に逃げることで滑らかに軸方向にスライドすることが可能である。また、摺動部には摩擦軽減部材を配しているため、摺動抵抗の増大によりろ板の移動が困難になることがない。ガイドレールは十分な強度を有する剛性体で構成しているので、撓み等により摺動困難になることがない。ろ板がガイドレールに載置されている位置で、ろ板上部のベベルギアに駆動軸を挿通しているので、駆動軸にはろ板の重量が掛からない。
【０００７】
しかし、ベベルギアは駆動軸に対して摺動自在に嵌合されており、ろ板の開閉板に追随して軸方向に移動する。駆動軸の回転をベベルギアを介してろ布駆動軸に伝達し、ろ布を上下に走行させているので、駆動軸とベベルギアの嵌合部の許容隙間は非常に小さい。摺動部に潤滑剤を塗布しても、現場雰囲気により発生した異物が駆動軸に付着する等により嵌合部に入り込むと、滑らかに摺動するために必要な隙間量が減少し、さらにその状態で摺動させると接触面圧が増大してかじりが発生すると共に、摩擦熱が上昇して摺動部材同士が焼き付くという問題があった。
また、ベベルギアの摺動距離は、ろ板の枚数が増えて装置が大型化する程長くなるが、その太さはろ板の厚み、ろ板の開板ピッチ等でベベルギアの大きさが制限され、むやみに大きくすることができない。
【０００８】
そこで、特許文献１に示すように、駆動軸に嵌入するベベルギアの摺動部を自己潤滑性のプラスチック製スリーブで構成すると、駆動軸を破損させることがなく、また、軸線方向に分割してあるので、スリーブが破損等した場合、駆動輪を駆動軸から抜き取ることなく、スリーブのみを駆動輪から取りはずして交換することができるものである。しかし、一対の駆動軸に吊設しているスリーブの一方が破損した場合、摩擦抵抗が変動して、ろ板が傾倒した状態で開閉板移動を行うことになり、駆動軸に偏負荷が掛かり、駆動軸の撓みあるいは駆動軸の支持部の破損の可能性がある。
【０００９】
特許文献２は、軸方向への移動をスムーズに行えるものであるが、機場の現場雰囲気（処理液・蒸気・ガス・粉塵等）によっては、摩擦抵抗の小さい摺動部材でも抵抗を軽減できないような異物が駆動軸に付着することで、移動中に摺動部でかじりつき、駆動軸あるいはプーリが破損するという問題がある。
【００１０】
特許文献３は、光電センサーを用いてろ布吊り棒の通過を検知するので、摺動部に異物が噛み込み、ろ板あるいはろ布が完全に停止するまで異常を検知できない。完全に停止すると摺動部の焼き付きや駆動機のオーバーヒート及び関連部品の損傷等の問題がある。
【００１１】
この発明は、摺動部の摩擦抵抗をスラスト荷重によって検知し、異常事態の発生を早期に知ることができるフィルタープレスにおけるろ板開閉異常検出装置を提供する。
【課題を解決するための手段】
【００１２】
この発明のフィルタープレスにおけるろ板開閉異常検出装置の要旨は、開閉自在に並列した複数のろ板列の上方にスライドシャフトを設け、ろ板上部に配設したベベルギアスライドをスライドシャフトに軸線方向にのみ移動自在に嵌入し、各ろ板間に設けたろ布をベベルギアスライドに連動連結し、スライドシャフトを回転させることによってろ布を上下に走行するようにしたろ布走行型フィルタープレスにおいて、スライドシャフトの一端に、ろ板列の開閉移動時にスライドシャフトに作用するスラスト荷重を検出する検出装置と、スラスト荷重に基づいてろ板の開閉移動を制御する制御装置とを備えるので、摺動部の摩擦抵抗をスラスト荷重によって検知し、異常事態の発生を早期に知ることができる。
【００１３】
スライドシャフトの一端をフィルタープレスのフロントフレームに立設したブラケットに軸支し、このブラケットに検出器を配設すると、スライドシャフトの自重による影響を受けることがなく、高精度のスラスト荷重を検知することができる。また、検出器を荷重変換器とし、荷重変換器の検出部をブラケットに配設すると共に、フロントフレームにサポートを立設し、サポートに荷重変換器の本体を配設すると、ブラケットの撓みを高精度に検知できる。
【００１４】
スライドシャフトを軸方向に分割し、分割面に検出器を挿入連結すると、スライドシャフトにかかるスラスト荷重を直接検知するので、高精度の検知が可能となる。
【００１５】
また、この発明のフィルタープレスにおけるろ板開閉異常検出装置の制御方法の要旨は、開閉自在に並列した複数のろ板列の上方にスライドシャフトを設け、ろ板上部に配設したベベルギアスライドをスライドシャフトに軸線方向にのみ移動自在に嵌入し、各ろ板間に設けたろ布をベベルギアスライドに連動連結すると共に、スライドシャフトの一端に、ろ板列の開閉移動時にスライドシャフトに作用するスラスト荷重を検出する検出装置と、スラスト荷重に基づいてろ板の開閉移動を制御する制御装置とを備えたろ布走行型フィルタープレスにおいて、検出装置により検出したスライドシャフトに作用するスラスト荷重と、予め設定した基準値とを比較し、スラスト荷重の値が基準値を超えた時に、ろ板の開閉移動を停止させるので、異常時にろ板の移動を停止させ、摺動部に関連する機器の損傷を未然に防止でき、部品破損や分解修理、さらには長期間に亘る運転停止のリスクを軽減できる。
【発明の効果】
【００１６】
この発明に係るフィルタープレスにおけるろ板開閉異常検出装置は、上記のように構成してあり、ろ板を開閉する際にろ布吊設装置がろ板と共に移動し、スライドシャフト上を摺動するが、（スライドシャフトに）ろ板開閉異常検出装置を配設しているので、摺動部での異常状態を早期に知ることができる。
具体的には、摺動部に異物が噛み込むことで摩擦抵抗が増大し、その結果、軸方向に作用するスラスト荷重の増加を検知するので、摺動部がかじりによって完全に動かなくなる前に運転を停止することができる。
したがって、摺動部に関連する機器の損傷を未然に防止でき、部品破損や分解修理、さらには長期間に亘る運転停止のリスクを軽減できる。定期的なメンテナンスだけでなく、摺動抵抗の増加をリアルタイムに検知できるので、臨時に摺動部を確認（異物の除去）することで、機器破損のリスクを低減できる。移動するろ板の数に影響を受けることがなく、精度のよい検知が可能である。
【図面の簡単な説明】
【００１７】
【図１】この発明に係るろ板開閉異常検出装置を有するフィルタープレスの概略側面図である。
【図２】同じく、ろ板開閉異常検出装置の側面図である。
【図３】同じく、ろ板開閉異常検出装置の平面図である。
【図４】同じく、ろ板開閉異常検出装置の制御システムである。
【図５】同じく、ろ板間に吊設したろ布の吊設装置の正面図である。
【図６】同じく、ろ板間に吊設したろ布駆動装置の概略図である。
【図７】同じく、ろ板間に吊設したろ布の斜視図である。
【図８】同じく、ろ板間に吊設したろ布の吊設装置の側断面図である。
【図９】同じく、ろ板開閉異常検出装置の開閉板工程時の制御フローである。
【発明を実施するための形態】
【００１８】
この発明に係るフィルタープレスにおけるろ板開閉異常検出装置を図面に基づき詳述すると、図１はろ板開閉異常検出装置を有するフィルタープレスの概略側面図であって、フィルタープレス１は、フロントフレーム２とリアーフレーム３に橋架したガイドレール４上に、摺動自在に載置した状態で前後方向に移動し得るようにした複数のろ板５と、これらのろ板５のろ過床面６を覆うように吊設されたろ布７とでろ過室８を形成してある。
複数のろ板列の上方に、このろ板列に沿ってスライドシャフト９を設けてあり、スライドシャフト９には、ろ布７を吊設するベベルギアスライド１０を軸方向に摺動自在に嵌入している。スライドシャフト９には軸方向の荷重を計測するための検出装置１１を配設している。
リアーフレーム３には油圧シリンダー１２を支架し、油圧シリンダー１２を伸長させてムーバブルヘッド１３をフロントフレーム２方向に押圧することによりろ板５を閉板し、閉板したろ板５，５間のろ過室８に原液を供給すれば、ろ液はろ布７を通過して外部に排出される。ろ布７で捕捉された固形物はケーキ層を形成しながら脱水される。
脱水終了後、油圧シリンダー１２を収縮してろ板５を開板する。連結リンク４１によって決められた所定の間隔で、各ろ板５を一斉に開板することができる。そして、ろ布駆動機１４を作動させて、ろ布７を下降走行させながら脱水ケーキを排出するようにしている。
【００１９】
スライドシャフト９とベベルギアスライド１０との摺動部の焼き付きが発生する前段階で、不具合を検知することができるフィルタープレス１におけるろ板開閉異常検出装置について、図２、３に基づいて詳細に説明する。
図２、３に示すように、フロントフレーム２両肩部に立設した一対のブラケット１５，１５に軸受１６を介してスライドシャフト９を回動自在に支持している。ろ板５の開閉板移動の際に、スライドシャフト９に発生するスラスト荷重Ｆは軸受１６を介してブラケット１５にかかり、ブラケット１５がスライドシャフト９の軸方向に撓む。このブラケット１５に検出器１７を配設し、ブラケット１５の撓み量から荷重を検出している。
【００２０】
具体的には、立設した溝形形状のブラケット１５の外溝面に、スライドシャフト９を支持するフランジ形軸受１６を固定し、固定部近傍の内溝部に水平にリブ１５ａを配設する。このリブ１５ａに引張圧縮荷重に対応できる荷重変換器１７の検出部１７ａを固定配設し、フロントフレーム２から別途立設したサポート１８に荷重変換器１７の本体１７ｂを支持している。現場雰囲気（処理液・蒸気・ガス・粉塵等）による誤作動を防止するために、荷重変換器１７にカバー等を被覆してもよい。
【００２１】
本実施例では、スライドシャフト９の他端を軸支するフロントフレーム２側に検出装置１１を配設しているが、フロントフレーム２にろ布駆動機１４を載置してリアーフレーム３側に検出装置１１を配設しても良く、本実施例に限定されるものではない。また、荷重変換器１７の取付位置は、フィルタープレス１の構造、スラスト荷重Ｆの大きさ等を考慮して適宜決定する。
本実施例では検出器１７に荷重変換器１７を用いて、ブラケット１５が撓む際に発生する荷重を検出しているが、スライドシャフト９を分割し、その分割面に検出器１７を連結して、スライドシャフト９に発生するスラスト荷重Ｆを直接検出しても良い。
【００２２】
図４はフィルタープレスの制御システムを示している。フィルタープレス１の運転に際しては、ろ板５の開閉板時に、スライドギアハウジング１９に内挿しているベベルギアスライド１０とスライドシャフト９との摺動抵抗により、スライドシャフト９を軸方向に引張・圧縮する力が発生する。
その力が軸受１６を介してスライドシャフト９を支持しているブラケット１５に伝達し、フロントフレーム２との固定部１５ｂを支点にブラケット１５が軸方向に撓む。ブラケット１５とサポート１８に橋架している荷重変換器１７がブラケット１５の撓みを検知し、撓み量からスライドシャフト９のスラスト荷重Ｆをリアルタイムに検出する。荷重変換器１７で検出したスラスト荷重Ｆの電気信号は、フロントフレーム２上に設置しているターミナルボックス２０を介して制御装置３９に送信される。
【００２３】
制御装置３９は、荷重変換器１７で検出したスラスト荷重Ｆと予め設定した開閉板基準値ＯＦ，ＣＦとを比較する。
スライドシャフト９にかじりや焼き付きが発生し、異常な摺動抵抗により荷重変換器１７で検出したスラスト荷重が予め設定した開閉板基準値ＯＦ，ＣＦよりも大きい場合は、警報を発するとともに、ろ板５の開閉板移動を停止するよう指示を出す。具体的には、ろ板５の開閉板移動を作動させる油圧シリンダー１２の油圧ポンプ４０の停止を実行する。尚、ろ板５の開閉板移動を電動機により作用させるフィルタープレス１については、電動機の停止を実行する。
【００２４】
また、誤検知等も考慮して、スラスト荷重Ｆの値が開閉板基準値ＯＦ，ＣＦを超えて所定時間保持された場合、ろ板５の開閉板移動を自動停止するよう指示を出すことが望ましい。
ろ板５を移動させる油圧シリンダー１２又は電動機の負荷を検知する方法は、移動するろ板５の枚数の変化に伴って負荷が変動するので、精度のよい検知ができないが、本願発明は、スライドシャフト９に発生する軸方向の荷重を計測するので、精度のよい検知が行えるものである。
【００２５】
ろ布走行式のフィルタープレスにおいて、図５はろ板間に吊設したろ布の吊設装置の正面図であって、ろ布７の吊設装置２１は、ろ板５の上部に配設された上部吊設装置２１ａと、下部に配設された下部吊設装置２１ｂとからなる。
上部吊設装置２１ａは、ろ板５の両肩部に立設された一対の上部ブラケット２２，２３と、これらに支架されたろ布駆動軸２４と、ろ布駆動軸２４の一端に連結され一方の上部ブラケット２２に支架されたスライドギアハウジング１９と、ろ布駆動軸２４の両端部に嵌着された一対のスプロケット２５とを備える。
上部ブラケット２２は、ろ板５の一方の肩部に圧入された補強金２６に取付ボルト２７で止着されており、この上部ブラケット２２の上端に、スライドギアハウジング１９が支持されている。
【００２６】
図６に示すように、スライドギアハウジング１９に軸支されたベベルギアスライド１０は、ろ布駆動軸２４の端部に嵌着された入力ベベルギア２８と噛み合っている。この噛み合い状態は、ろ板５の開閉板動作中常に維持される。ベベルギアスライド１０には、フィルタープレス１の前後方向に延びる断面多角形状のスライドシャフト９がベベルギアスライド１０に対して回動不能かつ軸方向に摺動自在に嵌合されている。
スライドギアハウジング１９を介してスライドシャフト９を支持する上部ブラケット２２は、補強金２６が圧入されていることにより十分な剛性を得たろ板５の肩部に立設されているので、ろ板５の開閉動作の際にスライドシャフト９とベベルギアスライド１０との間に発生する摺動抵抗による繰返し荷重が掛かっても、上部ブラケット２２と補強金２６との間、補強金２６とろ板５の肩部との間の締結部品が緩むことがなく、上部吊設装置２１ａの剛性が維持される。
スライドギアハウジング１９及びこれを支持する上部ブラケット２２，２３は、閉板時に隣り合うろ板５の間で互いに干渉しないように、並列するろ板５の左右の肩部に交互に配設されている。このとき、各ろ板５のろ布駆動軸２４のスプロケット２５は、同一直線上に並ぶ。
【００２７】
一方、下部吊設装置２１ｂは、ろ板５の両側下端部に垂下した一対の下部ブラケット２９，２９と、これらに支架された２本のリターンロール３０及び洗浄管３１と、ノズル３１ａとを備える。
尚、上部ブラケット２２，２３には、吊設された後述のろ布７の駆動チェーン３２をガイドするチェーンガイドローラ２５ａが、ろ板５の下端には、同じく駆動チェーン３２をガイドする金属板を折り曲げて形成したチェーンガイドプレート２５ｂがそれぞれ設けられている。
【００２８】
ろ板５の上部ブラケット２２にスライドギアハウジング１９を介して摺動自在に支持された一対のスライドシャフト９は、図１及び図５に示すように、ろ板５の上方左右両側において、フィルタープレス１の前後方向に互いに平行に延びている。各スライドシャフト９の前後端は、それぞれフロントフレーム２及びリアーフレーム３に回動自在に支持されている。一対のスライドシャフト９の前端は、それぞれ変換ギア３３を介して、リアーフレーム３上に設置した正逆転可能なろ布駆動機１４に連動連結されている。
このろ布駆動機１４を駆動させることにより、左右のスライドシャフト９及びこれに連結させたすべてのろ布駆動軸２４を所定量回転させて、並列したろ板５間のろ布７を一斉に昇降させることができる。
【００２９】
図７はろ板間に吊設したろ布の斜視図であって、一対の長方形のろ布７は、互いの上端部を合着した上で折り返して縫合した筒状の上端縁７ａと、各々の下端部を折り返して縫合した一対の筒状の下端縁７ｂとを有する。上端縁７ａ及び下端縁７ｂには、ろ布７の幅より長い上部ろ布芯金３４及び下部ろ布芯金３５がそれぞれ挿通されて止め付けられている。上部ろ布芯金３４の両端部には、タイトナーボルト３６を端部に有する駆動チェーン３２がそれぞれ連結されている。
一対のろ布７の上方中央部には原液の給液板３７が挟持されている。給液板３７には、前面から後面に貫通する原液供給路３７ａと、この原液供給路３７ａの下側内周面から給液板３７の下端に貫通する給液路３７ｂとが設けられている。
【００３０】
図８はろ板間に吊設したろ布の吊設装置の側断面図であって、一対のろ布７は並列したろ板５の間に吊設され、それぞれ前後のろ板５のリターンロール３０に、反転時原液側ろ過面が下側になるように掛け回されている。
ろ布７の上部ろ布芯金３４に連結された駆動チェーン３２は、前方のろ板５のろ布駆動軸２４のスプロケット２５に掛けまわされ、ろ板５の前面側に垂下される。垂下された駆動チェーン３２は、チェーンガイドローラ２５ａ及びチェーンガイドプレート２５ｂに案内されてろ板５のシール面５ａ及びろ過床６に略平行に延び、ろ板５下部の２本のリターンロール３０に掛けまわされたろ布７の下部ろ布芯金３５に連結される。ここで、各ろ布７の下部ろ布芯金３５は、駆動チェーン３２のタイトナーボルト３６に固定された吊金具３８に係止されている。
並列したろ板５を閉板すると、前後のろ板５の凹所５ｂに、ろ布７に止着された給液板３７が挟持され、一対のろ布７が前後のろ板５のろ過床６に張設されて、それらの間にろ過室８が画成される。
【００３１】
２本のリターンロール３０は、互いに上下方向に位置をずらして支架されている。洗浄管３１は、これらのリターンロール３０の下方にこれらに平行に設けられ、リターンロール３０に掛けまわしたろ布７の反転部に向けられた複数のノズル３１ａを有する。
一対のろ布７，７のうち前方側のろ布７を、ろ布７の前方にあるろ板５の後方側のリターンロール３０に巻き掛けて、そのろ布７の下部ろ布芯金３５をろ板５の前面側に垂下した駆動チェーン３２の下端に連結された吊金具３８に係止する。また、ろ板５とその前列のろ板５との間に同様に垂下された一対のろ布７の後方側のろ布７をろ板５の後方側のリターンロール３０に巻き掛けて、そのろ布７の下部ろ布芯金３５を吊金具３８に係止する。
この吊金具３８の構成によれば、ろ布７の交換・取外し点検等の際にも、上述のようにろ布７の吊設・取外しを並列したろ板５の側方から容易に行うことができる。
【００３２】
ろ布７の走行について詳述すると、ろ板５の開板後、図１に示すろ布駆動機１４を作動してスライドシャフト９を回転させる。これにより、スライドシャフト９に連結されたろ布駆動軸２４が回転し、その両端に嵌着されたスプロケット２５及びこのスプロケット２５に掛けまわされた駆動チェーン３２を介して、図３に示す一対のろ布７が開板したろ板５の間を降下する。このとき、ろ過室８で形成された脱水ケーキは、ろ布７とともにろ板５の間を降下し、ろ布７がそれぞれリターンロール３０において反転する時に、ろ布７から剥離される。
【００３３】
ケーキ剥離後、ろ布７は、一列隣のろ過室８を構成していた一対のろ布７のうち一方とともに駆動チェーン３２により引き上げられ、ろ板５間を上昇する。このとき、ろ布７は、互いの原液側ろ過面同士を向き合わせて重ねられているので、ろ布７に付着している残存ケーキによってろ板５が汚染されることはない。
並列したろ板５，５間のすべてのろ布７を一斉に走行させて、ろ布７間のケーキを自動的に排出するので、ケーキの排出操作の所要時間が短縮される。
ろ布７がリターンロール３０において反転する際に、ろ布７の原液側ろ過面に向けて、洗浄管３１から洗浄水を噴射する。これによりろ布７の目詰まりを解消することができる。このときノズル３１ａからはリターンロール３０に向けて洗浄水を噴射する。これによりリターンロール３０に付着した汚泥を洗い流すことができる。
このようにろ板５から外すことなく洗浄を行うことができるので、ろ過効率を低下させることなくフィルタープレス１の連続運転が可能となる。
【実施例】
【００３４】
【表１】
2011251230.tif 000003
【００３５】
表１はフィルタープレス１の脱水工程時にスライドシャフト９に加わるスラスト荷重Ｆを荷重変換器１７で検出したものである。荷重変換器１７としてロードセルを用いて計測している。ブラケット１５をリアーフレーム３側に引張る力を負、フロントフレーム２側に圧縮させる力を正として検出している。
ろ板５を開板する際には、油圧シリンダー１２を収縮させ、ろ板５をリアーフレーム３側に移動させる。その際の摺動抵抗により、スライドシャフト９はリアーフレーム３側にスラスト荷重Ｆを受ける。そのスラスト荷重Ｆがブラケット１５に伝達し、荷重変換器１７にて約−０．５ｋＮのスラスト荷重Ｆを検出している。
【００３６】
逆に、ろ板５を閉板する際には、油圧シリンダー１２を伸長させ、フロントフレーム２側に移動させる。その際の摺動抵抗により、スライドシャフト９はフロントフレーム２側にスラスト荷重Ｆを受ける。そのスラスト荷重Ｆがブラケット１５に伝達し、荷重変換器１７にて約０．７ｋＮのスラスト荷重Ｆを検出している。
【００３７】
スライドシャフト９に異物が付着あるいはバリが発生し、軸方向に移動するベベルギアスライド１０との間で摺動抵抗が増大すると、上記スラスト荷重Ｆは、閉板時に急激に上昇し、開板時に急激に下降する。摺動抵抗が増大している間、さらにろ板５の移動を続けていると、スライドシャフト９とベベルギアスライド１０との間でかじりや焼き付きが発生し、部材同士が固着して摺動しなくなる場合があり、修復するための部品交換等で予想以上のコストがかかる。
【００３８】
図９はフィルタープレスの開閉板工程の制御フローを示している。閉板開始から閉板終了までの閉板工程において、検出装置１１はスライドシャフト９にかかるスラスト荷重Ｆを正として検出している。このスラスト荷重Ｆが予め設定した閉板基準値ＣＦよりも大きい場合、制御装置３９は警報を発するとともに、ろ板５の閉板移動を停止する。また、スラスト荷重Ｆが予め設定した閉板基準値ＣＦ以下の場合、次工程に移行する。
【００３９】
開板開始から開板終了までの開板工程において、検出装置１１はスライドシャフト９にかかるスラスト荷重Ｆを負として検出している。このスラスト荷重Ｆが予め設定した開板基準値ＯＦよりも小さい場合、制御装置３９は警報を発するとともに、ろ板５の開板移動を停止する。また、スラスト荷重が予め設定した閉板基準値ＯＦ以上の場合、次工程に移行する。
警報とともに運転が停止すれば摺動部の確認を行い、異物の除去、摩擦軽減剤の塗布等を行い、再度運転を再開する。
【００４０】
初期設定について、開閉板基準値ＯＦ，ＣＦ、スラスト荷重Ｆのサンプリング時間等は、フィルタープレス１のサイズ、ろ板５枚数、スライドシャフト９やベベルギアスライド１０の経年変化（磨耗、傷）、ブラケット１５の構造や荷重変換器１７の取付位置等を考慮して適宜設定する。
【産業上の利用可能性】
【００４１】
本発明のフィルタープレスにおけるろ板開閉異常検出装置は、ろ板の開閉板工程の際に、機場の現場雰囲気（処理液・蒸気・ガス・粉塵等）により、摺動部に付着物が固着して機器の運転に重大な損傷を起こす前に検知することができる。
したがって、部品の破損・交換等により脱水機を長期間に亘って運転停止にすることがなく、安定した運転を行うことができる。
また、ケーキの排出操作の所要時間が短縮できるろ布走行型フィルタープレスであるので、大容量・高圧搾に対応できる有用な脱水機となるものである。
【符号の説明】
【００４２】
１  フィルタープレス
５  ろ板
７  ろ布
９  スライドシャフト
１０  ベベルギアスライド
１１  検出装置
１５  ブラケット
１７  検出器，荷重変換器
１７ａ  検出部
１７ｂ  本体
１８  サポート
３９  制御装置
Ｆ  スラスト荷重
ＣＦ  閉板基準値
ＯＦ  開板基準値
【図１】
2011251230.tif 000004
【図２】
2011251230.tif 000005
【図３】
2011251230.tif 000006
【図４】
2011251230.tif 000007
【図５】
2011251230.tif 000008
【図６】
2011251230.tif 000009
【図７】
2011251230.tif 000010
【図８】
2011251230.tif 000011
【図９】
2011251230.tif 000012